(57)【要約】【課題】球戻り規制部材の損傷を抑制することが可能な遊技機の提供を目的とする。【解決手段】本発明の遊技機１０は、遊技球が流下可能な遊技領域ＹＲ１を前面に有する遊技盤１１と、発射装置６１から発射された遊技球を遊技領域ＹＲ１へと案内する案内路１３と、案内路１３への遊技球の逆流を規制する球戻り規制部材５０と、を備える。遊技機１０では、遊技領域ＹＲ１を包囲する第１レール１２Ａ及び第２レール１２Ｂを備えて、それらレールの間に案内路１３を形成し、球戻り規制部材５０は、第１レール１２Ａに支持され、案内路１３を閉じる閉状態から第２レール１２Ａとの間隔を広げるように変化して、案内路１３を開く開状態となり、遊技領域ＹＲ１には、球戻り規制部材５０に対向配置される第３樹脂突部４３が設けられ、開状態の球戻り規制部材５０と第３樹脂突部４３との間隔が、遊技球１個分より大きい。【選択図】図９
2018061885.tif 000002
【特許請求の範囲】
【請求項１】
遊技球が流下可能な遊技領域を前面に有する遊技盤と、
発射装置から発射された遊技球を前記遊技領域へと案内する案内路と、
前記案内路への遊技球の逆流を規制する球戻り規制部材と、を備えた遊技機において、
前記遊技領域を包囲する外レール部及び内レール部を備えて、それら外レール部と内レール部との間に前記案内路を形成し、
前記球戻り規制部材は、前記内レール部に支持され、前記案内路を閉じる閉状態から前記外レール部との間隔を広げるように変化して、前記案内路を開く開状態となり、
前記遊技領域には、前記球戻り規制部材に対向配置される対向樹脂突部が設けられ、
前記開状態の前記球戻り規制部材と前記対向樹脂突部との間隔が、遊技球１個分より大きいことを特徴とする遊技機。
【請求項２】
前記球戻り規制部材は、前記遊技盤の前面に沿って移動して前記案内路を開閉する開閉部材を有し、
前記対向樹脂突部は、前記開状態における前記開閉部材と略平行な対向面を有していることを特徴とする請求項１に記載の遊技機。
【請求項３】
前記開状態における前記開閉部材と前記対向面との間隔が遊技球１個分より大きく１．５個分以下であることを特徴とする請求項２に記載の遊技機。
【請求項４】
前記球戻り規制部材は、前記内レール部に固定される支持ベースと、前記支持ベースに回動可能に支持され、前記遊技盤の前面に沿って移動して前記案内路を開閉する開閉部材と、を有し、
前記開閉部材は、通常は、前記案内路を閉じる閉位置に付勢されることを特徴とする請求項１乃至３のうち何れか１の請求項に記載の遊技機。
【請求項５】
前記対向樹脂突部には、前記支持ベースを外側から囲むように配される対向円弧面が設けられ、
前記対向円弧面と前記支持ベースとの間隔が遊技球１個分より大きく１．５個分以下であることを特徴とする請求項４に記載の遊技機。
【発明の詳細な説明】
【技術分野】
【０００１】
本発明は、遊技盤の前面に遊技球が流下可能な遊技領域が形成された遊技機に関する。
【背景技術】
【０００２】
特許文献１の遊技機では、発射装置から発射された遊技球を遊技領域に案内する案内路への遊技球の逆戻りが球戻り規制部材によって規制される。
【先行技術文献】
【特許文献】
【０００３】
【特許文献１】特許第４４８５５１３号（図１）
【発明の概要】
【発明が解決しようとする課題】
【０００４】
しかしながら、特許文献１の遊技機では、球戻り規制部材が損傷し易いという問題があった。
【０００５】
本発明は、上記事情に鑑みてなされたもので、球戻り規制部材の損傷を抑制することが可能な遊技機の提供を目的とする。
【課題を解決するための手段】
【０００６】
第１の発明は、遊技球が流下可能な遊技領域を前面に有する遊技盤と、発射装置から発射された遊技球を前記遊技領域へと案内する案内路と、前記案内路への遊技球の逆流を規制する球戻り規制部材と、を備えた遊技機において、前記遊技領域を包囲する外レール部及び内レール部を備えて、それら外レール部と内レール部との間に前記案内路を形成し、前記球戻り規制部材は、前記内レール部に支持され、前記案内路を閉じる閉状態から前記外レール部との間隔を広げるように変化して、前記案内路を開く開状態となり、前記遊技領域には、前記球戻り規制部材に対向配置される対向樹脂突部が設けられ、前記開状態の前記球戻り規制部材と前記対向樹脂突部との間隔が、遊技球１個分より大きいことを特徴とする遊技機である。
【０００７】
第１の発明では、球戻り規制部材に対向配置される対向樹脂突部が設けられているので、球戻り規制部材に遊技球が衝突しにくくなり、球戻り規制部材の損傷が抑えられる。また、開状態の球戻り規制部材と対向樹脂突部との間隔は遊技球１個分より大きいので、遊技球が球戻り規制部材に衝突した場合に、その遊技球を球戻り規制部材と対向樹脂突部との間に流下させることが可能となる。
【０００８】
第２の発明は、前記球戻り規制部材は、前記遊技盤の前面に沿って移動して前記案内路を開閉する開閉部材を有し、前記対向樹脂突部は、前記開状態における前記開閉部材と略平行な対向面を有していることを特徴とする第１の発明に記載の遊技機。
【０００９】
第２の発明によれば、開状態における開閉部材と対向樹脂突部との間を通過する遊技球をスムーズに流下させ易くなる。
【００１０】
第３の発明は、前記開状態における前記開閉部材と前記対向面との間隔が遊技球１個分より大きく１．５個分以下であることを特徴とする第２の発明に記載の遊技機。
【００１１】
第３の発明によれば、開状態における開閉部材と対向樹脂突部との間を通過する遊技球のバタつきを抑えることが可能となる。
【００１２】
第４の発明は、前記球戻り規制部材は、前記内レール部に固定される支持ベースと、前記支持ベースに回動可能に支持され、前記遊技盤の前面に沿って移動して前記案内路を開閉する開閉部材と、を有し、前記開閉部材は、通常は、前記案内路を閉じる閉位置に付勢されることを特徴とする第１〜第３の発明のうち何れか１つに記載の遊技機。
【００１３】
第４の発明では、球戻り規制部材が、支持ベースに回動可能に支持されて案内路を開閉する開閉部材を有するので、球戻り規制部材が弾性変形によって案内路を開閉する構成と比較して、球戻り規制部材の耐久性の向上が図られる。なお、開閉部材の閉位置への付勢は、開閉部材において回動軸から偏心した位置に錘を備えることで実現されてもよいし、開閉部材の回動軸の回りにトーションばねを装着することで実現されてもよい。
【００１４】
第５の発明は、前記対向樹脂突部には、前記支持ベースを外側から囲むように配される対向円弧面が設けられ、前記対向円弧面と前記支持ベースとの間隔が遊技球１個分より大きく１．５個分以下であることを特徴とする第４の発明に記載の遊技機。
【００１５】
第５の発明によれば、対向樹脂突部の対向円弧面によって開閉部材を回動可能に支持する支持ベースに遊技球が衝突することが防がれ、開閉部材のスムーズな回動が図られる。また、対向円弧面と支持ベースとの間隔が遊技球１個分より大きく１．５個分以下となっているので、支持ベースと対向樹脂突部との間を通過する遊技球をスムーズに流下させることが可能となる。
【発明の効果】
【００１６】
本発明では、球戻り規制部材に対向配置される対向樹脂突部が設けられているので、球戻り規制部材に遊技球が衝突しにくくなり、球戻り規制部材の損傷が抑えられる。
【図面の簡単な説明】
【００１７】
【図１】本発明の一実施形態に係る遊技機の正面図
【図２】遊技盤の正面図
【図３】前面枠を開放した遊技機の斜視図
【図４】戻り球回収ダクトの正面図
【図５】発射機構ユニットの斜視図
【図６】遊技領域における樹脂突部周辺を下方から見た斜視図
【図７】遊技領域における樹脂突部周辺を左側から見た斜視図
【図８】球戻り規制部材の（Ａ）斜視図、（Ｂ）分解斜視図
【図９】遊技領域の左上部の一部破断正面図
【図１０】図９における第１樹脂突部周辺の拡大図
【図１１】図９における第２樹脂突部周辺の拡大図
【図１２】図９における第３樹脂突部周辺の拡大図
【図１３】（Ａ）閉状態の球戻り規制部材周辺の一部破断正面図、（Ｂ）開状態の球戻り規制部材周辺の一部破断正面図
【図１４】樹脂体と表示装飾枠の側断面図
【図１５】球戻り規制部材と金属カバーの斜視図
【図１６】（Ａ）金属カバーにおける第２の不正防止部材周辺の斜視図、（Ｂ）金属カバーを後カバー部側から見た斜視図
【図１７】糸吊りゴトを説明するための図
【図１８】糸が第１の不正防止部材に捕捉された状態の概略図
【図１９】糸が第２の不正防止部材に捕捉された状態の概略図
【図２０】他の実施形態に係る樹脂突部周辺の一部破断正面図
【発明を実施するための形態】
【００１８】
以下、本発明をパチンコ遊技機に適用した一実施形態を図面に基づいて説明する。図１に示されるように、本実施形態に係る遊技機１０は、図２に示す遊技盤１１を前面枠１０Ｚで覆ってなり、その前面枠１０Ｚに形成されたガラス窓１０Ｗを通して、遊技盤１１の前面に形成された遊技領域ＹＲ１（図２参照）の全体が視認可能となっている。
【００１９】
前面枠１０Ｚのうちガラス窓１０Ｗより下方には、上皿２６と下皿２７が上下２段にして設けられ、下皿２７の右側には、発射用ハンドル２８が備えられている。そして、発射用ハンドル２８を回動操作すると、上皿２６に収容された遊技球が後述する発射装置６１によって１球ずつ遊技領域ＹＲ１に向けて弾き出される。
【００２０】
図３に示されるように、遊技機１０は、遊技盤１１を保持した遊技機本体１０Ｈの前面に、前面枠１０Ｚを開閉可能に備えている。遊技機本体１０Ｈの前面の右下隅部には、発射機構ユニット６０が設けられていて、遊技盤１１の前面には、発射機構ユニット６０の発射装置６１から発射された遊技球を遊技領域ＹＲ１の左上部へと案内する案内路１３が形成されている。また、図４に示されるように、発射機構ユニット６０の左側方には、戻り球回収ダクト６８が設けられている。戻り球回収ダクト６８は、発射機構ユニット６０に備えた発射レール６１Ｒと案内路１３との間に配置され、発射力が弱いために遊技領域ＹＲ１まで到達せず、案内路１３を逆戻りした遊技球や、案内路１３まで到達しなかった遊技球を回収して下皿２８に排出する。
【００２１】
図５に示されるように、発射機構ユニット６０は、発射装置６１と球供給装置６２から、主に構成される。具体的には、発射機構ユニット６０は、発射装置６１のベース板６１Ａに、球供給装置６２、発射レール６１Ｒ、打撃槌６３、発射用モータ６４等の部品を組み付けてなる。球供給装置６２は、上皿２７に収容された遊技球を発射レール６１Ｒ上に１球ずつ供給する。発射レール６１Ｒは、ベース板６１Ａの左上端寄り位置から右斜め下方に延びていて、発射レール６１Ｒ上に供給された遊技球は、球受部材６５により受け止められる。発射用モータ６４は、発射用ハンドル２８の回動操作により駆動される。打撃槌６３は、発射用モータ６４の駆動力を受けて回動する。打撃槌６３が回動して打撃位置に配されると、打撃槌６３の槌先端部６３Ｓが球受部材６５により受け止められた遊技球を弾く。これにより、遊技球が発射レール６１Ｒに沿って斜め上方に発射される。
【００２２】
図２に示されるように、遊技盤１１の前面からは、遊技領域ＹＲ１を包囲するガイドレール１２が突出している。ガイドレール１２は、円弧状に湾曲した第１レール１２Ａ及び第２レール１２Ｂと、緩衝部材１２Ｃとによって形成されている。第１レール１２Ａは、遊技領域ＹＲ１の周縁部のうち上側の略１／４円周分を除いた部分に沿わせて配置されている。第２レール１２Ｂは、その一部（第２レース１２Ｂの上部）が遊技領域ＹＲ１の周縁部における上側の略１／４円周分に沿って延在し、残りの部分（第２レール１２Ｂの左側部）が第１レール１２Ａの左側部に外側から向かい合うように配置されている。第２レール１２Ｂの一端部は、第１レール１２Ａの最下部に対して左側方に配置され、第２レール１２Ｂの他端部は、第１レール１２Ａの右側端部１２ＡＲに対して遊技球１〜２個分上方にオフセットした位置に配置される。そして、第１レール１２Ａの左側部と第２レール１２Ｂとの間に、上述の案内路１３が形成されている。なお、緩衝部材１２Ｃは、第１レール１２Ａの右側端部１２ＡＲに取り付けられて、第１レール１２Ａと第２レール１２Ｂとの間を閉塞する。
【００２３】
また、第１レール１２Ａの左側端部１２ＡＬと第２レール１２Ｂの中間部との間には、遊技球１〜２個分の隙間が設けられ、これにより、ガイドレール１２の左上部に、案内路１３の出口、即ち、遊技領域ＹＲ１内に遊技球を進入させるための進入口１２Ｋが形成されている。そして、第２レール１２Ｂのうち進入口１２Ｋより上側に配される部分によって、進入口１２Ｋから遊技領域ＹＲ１内に進入した遊技球を右斜め上方に案内可能な円弧状案内部１２Ｅが形成されている。
【００２４】
図６、図７及び図８に示されるように、本実施形態の遊技機１０では、第１レール１２Ａに、遊技領域ＹＲ１に進入した遊技球が案内路１３へと逆戻りすることを規制する球戻り規制部材５０が取り付けられている。以下、球戻り規制部材５０について詳説する。
【００２５】
図８（Ａ）及び図８（Ｂ）に示されるように、球戻り規制部材５０は、第１レール１２Ａの左側端部１２ＡＬに取り付けられる支持ベース５１と、支持ベース５１に回動可能に支持されて進入口１２Ｋを開閉する開閉部材５３と、から主に構成される。そして、球戻り規制部材５０は、開閉部材５３が進入口１２Ｋを閉じる閉位置に配置されると閉状態となり、開閉部材５３が進入口１２Ｋを開く開位置に配置されると開状態となる。
【００２６】
開閉部材５３は、案内路１３を通過してきた遊技球が当接する発射球当接面５４Ａと、遊技領域ＹＲ１から案内路１３側へ向かう遊技球が当接する戻り球当接面（図示せず）と、を表裏に有する可動片５４と、回動軸部５５と、回動軸部５５を挟んで可動片５４の反対側に配置される錘部５６と、から構成され、回動軸部５５を中心にして回動する。そして、開閉部材５３は、可動片５４にて進入口１２Ｋを閉塞する閉位置（図１３（Ａ）参照）から可動片５４と第２レール１２Ｂとの間隔を広げるように回動して、進入口１２Ｋを開く開位置（図１３（Ｂ）参照）に配置される。錘部５６は、開閉部材５３を閉位置に付勢するためのものである。具体的には、錘部５６には、芯材５７が装着される装着孔５６Ａが回動軸部５５と平行に形成されていて、該装着孔５６Ａに芯材５７が装着されることで、開閉部材５３の重心が錘部５６側に偏るようになっている。なお、可動片５４は、開閉部材５３が閉位置に配置されたときには、略鉛直に沿って配置され、開閉部材５３が開位置に配置されたときには、回動軸部５５から右斜め上方に向かって延びるように配置される。
【００２７】
図８（Ｂ）に示されるように、支持ベース５１には、開閉部材５３の回動軸部５５及び錘部５６を収容可能な収容凹部５１Ａが設けられている。収容凹部５１Ａの両側には、支持ベースが第１レール１２Ａに取り付けられたときに、遊技盤１１に対向配置される後壁５２Ａと、遊技盤１１と反対側に配置される前壁５２Ｂと、が形成され、後壁５２Ａには、開閉部材５３の回動軸部５５を貫通する回動ピン５８を外側から挿通可能とするピン挿通孔５８Ａが形成されている。
【００２８】
図２に示されるように、遊技盤１１のうち遊技領域ＹＲ１の中央には、表示開口１１Ｈが貫通形成されており、その表示開口１１Ｈに遊技盤１１の裏面側から表示装置３０が対向している。表示装置３０は、例えば、液晶モジュールで構成され、遊技に関する演出を行う表示画面３０Ｇを前面に有する。
【００２９】
遊技盤１１の前面中央には、表示画面３０Ｇを囲むように表示装飾枠２３が取り付けられている。表示装飾枠２３は、遊技盤１１の前面側から表示開口１１Ｈに嵌め込まれると共に、遊技盤１１の前面より前側に突出している。これにより、遊技領域ＹＲ１を流下する遊技球が、表示装飾枠２３を乗り越えて表示装飾枠２３の内側に進入しないようになっている。
【００３０】
詳細には、表示開口１１Ｈは、遊技領域ＹＲ１の横方向の中間部で上側に寄せて配置され、遊技領域ＹＲ１のうち表示装飾枠２３の左側と右側と下側には、それぞれ、遊技球が流下可能な左側流下領域ＹＲ２と右側流下領域ＹＲ３と下側流下領域ＹＲ４が形成されている。また、表示装飾枠２３の上端部には、ガイドレール１２の上側部分（詳細には、第２レール１２Ｂ）に沿って円弧状に延びた上側円弧壁２５が設けられていて、この上側円弧壁２５とガイドレール１２との間に、遊技球が１つずつ通過可能な上側連絡流路２５Ｒが形成されている。また、表示装飾枠２３は、表示開口１１Ｈとガイドレール１２の右側部（詳細には、第１レール１２Ａの右側端部１２ＡＲ）との間を隙間なく埋めると共に、上側連絡流路２５Ｒと右側流下領域ＹＲ３との間を連絡する右側連絡流路２４Ｒが内側に形成された右側連絡流路構成部２４を備えている。
【００３１】
左側流下領域ＹＲ２の下端部には、風車１９が設けられている。風車１９は、左側流下領域ＹＲ２を流下してきた遊技球の進路を中央側へ変更して、下側流下領域ＹＲ４へと案内する。
【００３２】
下側流下領域ＹＲ４の横方向中央には、第１の始動入賞口１４Ａが設けられている。また、下側流下領域ＹＲ４のうち第１の始動入賞口１４Ａより左側の部分には、ガイドレール１２（詳細には、第１レール１２Ａ）に沿って一般入賞口２０が複数設けられている。
【００３３】
下側流下領域ＹＲ４のうち第１の始動入賞口１４Ａより右側の部分には、大入賞口１５が設けられている。また、右側流下領域ＹＲ３には、始動ゲート１８と第２の始動入賞口１４Ｂとが上下に並べて設けられている。詳細には、始動ゲート１８及び第２の始動入賞口１４Ｂは、大入賞口１５の上方に位置している。なお、下側流下領域ＹＲ４のうち大入賞口１５の右斜め上に位置する部分には、サイド入賞口２１が設けられている。
【００３４】
一般入賞口２０、サイド入賞口２１、第１の始動入賞口１４Ａ、第２の始動入賞口１４Ｂ、大入賞口１５の何れかの入賞口に遊技球が入球し、その入球が図示しない球検出センサにより検出されると、上皿２６へ所定数の賞球が払い出される。また、遊技領域ＹＲ１の下端部には、遊技球を遊技領域ＹＲ１の外側に排出するためのアウト口１６が設けられていて、何れの入賞口にも入球しなかった遊技球は、このアウト口１６から図示しない球回収装置に回収される。さらに、遊技領域ＹＲ１には、遊技球の流下方向をランダムに変更するための障害釘１７が多数植設されている。
【００３５】
次に、各入賞口１４Ａ，１４Ｂ，１５，２０，２１と始動ゲート１８の詳細について説明する。一般入賞口２０及びサイド入賞口２１は、所謂、ポケット構造をなし、遊技球が１つずつ入ることが可能な大きさで上方に開口している。
【００３６】
始動ゲート１８は、遊技球が潜って通過可能な門形構造をなしている。始動ゲート１８を遊技球が通過すると、普通図柄当否判定が行われる。ここで、遊技機１０では、通常遊技状態において普通図柄当否判定が当りとなる確率は低く設定されており、後述する「大当り遊技」後、所定の条件を満たしているときに、普通図柄当否判定が当りとなる確率が高くなる「時短遊技」が実行される。従って、遊技機１０では、通常遊技状態においては、左側流下領域ＹＲ２を流下するように遊技球を打ち出す、所謂、「左打ち」を行い、「時短遊技」中においては、右側流下領域ＹＲ３を流下するように遊技球を打ち出す、所謂、「右打ち」を行う、というように、２種類の打ち方を遊技者に提供可能に構成されている。なお、「時短遊技」は、「大当り遊技」の終了後、第１と第２の始動入賞口１４Ａ，１４Ｂへの入賞回数が、規定上限回数（例えば、１００回）に達するか、或いは、その「時短遊技」中に大当りとなった場合に終了する。
【００３７】
第１の始動入賞口１４Ａは、一般入賞口２０やサイド入賞口２１と同様に、ポケット構造になっていて、遊技球が１つずつ入球可能な大きさで上方に開放している。第２の始動入賞口１４Ｂは、遊技球が１つずつ入球可能な大きさで右側に開放し、可動部材１４Ｃによって開閉される。可動部材１４Ｃは、通常は、略鉛直に配置されて第２の始動入賞口１４Ｂを閉塞し、上述した普通図柄当否判定が当りのときに、下端部を中心にして左右方向に回動する。可動部材１４Ｃが回動して左下がりに傾斜すると、第２の始動入賞口１４Ｂに遊技球が入球（入賞）可能となる。第１と第２の始動入賞口１４Ａ，１４Ｂに遊技球が入球（入賞）すると、特別図柄当否判定が行われる。そして、特別図柄当否判定が当りになると、通常遊技状態から大当り遊技状態へと移行し、大当り遊技が実行される。
【００３８】
大入賞口１５は、横長矩形状をなし、通常遊技状態では、可動扉１５Ｔにて閉塞されている。そして、遊技状態が大当り遊技状態となって大当り遊技が実行されると、可動扉１５Ｔが所定期間に亘って前側に倒される。すると、大入賞口１５が前方に開放し、可動扉１５Ｔを案内にして大入賞口１５に多くの遊技球が入賞可能となる。
【００３９】
図９に示されるように、表示装飾枠２３の左上部には、ガイドレール１２の円弧状案内部１２Ｅ側から流下してきた遊技球を受け止めて下方に案内可能な流下案内壁３２が設けられている。流下案内壁３２は、上側円弧壁２５の左端部から下方に延びる縦壁３３と、縦壁３３の下端から左側に延びた横壁３４と、横壁３４の左端部から下方に延びる誘導傾斜壁３５とで構成され、全体がクランク形状をなしている。詳細には、縦壁３３、横壁３４及び誘導傾斜壁３５は全て、左下がりに傾斜し、縦壁３３の下り勾配は横壁３４の下り勾配より大きく、誘導傾斜壁３５の下り勾配は、横壁３４の下り勾配よりも大きくなっている。なお、誘導傾斜壁３５の下り勾配は、縦壁３３の下り勾配よりは小さくなっている。
【００４０】
遊技領域ＹＲ１のうち流下案内壁３２と円弧状案内部１２Ｅとに挟まれた部分には、球導入領域ＹＲ５が形成され、この球導入領域ＹＲ５に、表示装飾枠２３とは別体に設けられた樹脂体４０が固定されている。樹脂体４０は、遊技盤１１の前面に敷設されたベース板４０Ａと、ベース板４０Ａから前方に突出した樹脂突部４０Ｔと、からなる。そして、球導入領域ＹＲ５のうち樹脂突部４０Ｔを除く部分に、障害釘１７を有さずに遊技球が流下可能な釘無し領域ＹＲ６が形成されている。なお、樹脂体４０は、ベース板４０Ａがボルト４０Ｂで螺子止めされることにより遊技盤１１に固定される。また、樹脂体４０は、透明な樹脂で構成されていて、ベース板４０Ａの後側が透けて見えるようになっている。
【００４１】
表示装飾枠２３には、流下案内壁３２から外側に張り出して遊技盤１１の前面に重ねられる張出片３６が設けられていて、ベース板４０Ａのうち流下案内壁３２側を向く部分には、張出片３６に対応した形状をなす境界縁部４０Ｆ（図１０〜１２参照）が設けられている。境界縁部４０Ｆは、張出片３６に沿って配置されている。これにより、張出片３６とベース板４０Ａとの間に遊技球が入り込むことが抑えられる。なお、詳細には、張出片３６と境界縁部４０Ｆは共に、流下案内壁３２に対応したクランク形状に形成されている。
【００４２】
図１４に示されるように、張出片３６のうち境界縁部４０Ｆと対向する部分は、境界縁部４０Ｆへ近づくに従って薄くなるテーパー状に形成され、境界縁部４０Ａに近づくに従って後側へ傾斜する傾斜面３６Ｋを前面に有している。従って、遊技盤１１の表示開口１１Ｈに表示装飾枠２３を取り付けた後、張出片３６のテーパー状の部分を案内にしてベース板４０Ａを張出片３６の隣りに配置することが可能となる。また、ベース板４０Ａの境界縁部４０Ｆのうち張出片３６と対向する部分は、絶壁状に形成され、遊技盤１１の前面と直交する絶壁面４０Ｓを端面に有している。従って、張出片３６とベース板４０Ａとの間に形成される凹みを小さくすることが可能となり、遊技球のスムーズな流下が図られる。
【００４３】
また、図９に示されるように、ベース板４０Ａの上縁部は、第１レール１２Ａの延長線に沿った円弧状に配置される。そして、ベース板４０Ａと第２レール１２Ｂとの間には、第２レール１２Ｂに沿って遊技球が通過可能な球通過路が形成されている。これにより、進入口１２Ｋから遊技領域ＹＲ１に進入した遊技球がベース板４０Ａと接触して、遊技球の勢いが低減することが抑制される。
【００４４】
図１４に示されるように、ベース板４０Ａの上縁部は、第２レール１２Ｂへ近づくに従って薄くなっていて、第２レール１２Ｂへ近づくに従って後側へ傾斜する傾斜面４０Ｋを前面に有している。これにより、本実施形態では、円弧状案内部１２Ｅに沿って移動する遊技球を、ベース板４０Ａの上縁部を案内にしてベース板４０Ａの前方の釘無し領域ＹＲ６へとスムーズに流下させることができる。
【００４５】
図２に示されるように、遊技機１０は、樹脂突部４０Ｔとして、第１樹脂突部４１、第２樹脂突部４２及び第３樹脂突部４３を備えている。第１樹脂突部４１、第２樹脂突部４２及び第３樹脂突部４３は、円弧状案内部１２Ｅに沿って縦壁３３に近い側、即ち、右側から順番に配置されている。
【００４６】
図１０に示されるように、第１樹脂突部４１は、縦壁３３の上端部に左側、即ち、進入口１２Ｋ側から対向し、縦壁３３との間に、遊技球が１つずつ通過可能な第１流路Ｒ１を形成する。第１樹脂突部４１は、前方視略方形状をなし、円弧状案内部１２Ｅに沿って延在する天井面４１Ｕと、略水平な底面４１Ｓと、を有している。
【００４７】
第１樹脂突部４１の右側面は、上側右向き流路形成面４１ＲＡと下側右向き流路形成面４１ＲＢとで構成されている。上側右向き流路形成面４１ＲＡは、略鉛直に延び、下方へ向かうに従って第１流路Ｒ１の横幅を狭める。これにより、第１流路Ｒ１を流下する遊技球の勢いを低減させることが可能となる。また、下側右向き流路形成面４１ＲＢは、上側右向き流路形成面４１ＲＡの下端から下側に向かうに従って縦壁３３から離れるように傾斜し、下方に向かうに従って第１流路Ｒ１の横幅を広げる。これにより、第１流路Ｒ１を流下してきた遊技球を下方へ向けて素早く流下させることが可能となる。
【００４８】
第１樹脂突部４１の左側面は、略鉛直に延びる左向き流路形成面４１Ｌで構成されている。
【００４９】
図１０に示されるように、第２樹脂突部４２は、第１樹脂突部４１に対して左斜め下方に配置され、第１樹脂突部４１との間に、遊技球が通過可能な第１突部間流路ＴＲ１を形成する。ここで、第２樹脂突部４２の右側面は、右下がりに傾斜する右向き流路形成面４２Ｒで構成されている。また、上述の如く、第１樹脂突部４１の左向き流路形成面４１Ｌは、略鉛直になっている。その結果、第１突部間流路ＴＲ１は、下方へ向かうに従って幅狭に構成される。これにより、第１突部間流路ＴＲ１を流下する遊技球の勢いを低減させることが可能となり、第１突部間流路ＴＲ１から流下してきた遊技球を後述する第２流路Ｒ２に沿って流下させ易くなる。
【００５０】
また、第２樹脂突部４２は、横壁３４の上方に配置され、横壁３４との間に、遊技球が通過可能な第２流路Ｒ２を形成する。第２樹脂突部４２は、上側に尖った略三角形状をなし、横壁３４と略平行な底面４２Ｓを有している。これにより、第２流路Ｒ２を通過する遊技球を横壁３４に沿って移動させ易くなり、その遊技球を第３樹脂突部４３に衝突させて後述する第３流路Ｒ３へ流下させ易くなる。なお、第２樹脂突部４２の底面４２Ｓと横壁３４との間隔、即ち、第２流路Ｒ２の流路幅（上下方向の間隔）は、遊技球２個分以上、３個分未満となっている。
【００５１】
第２樹脂突部４２の左側面は、略鉛直に延びる左向き流路形成面４２Ｌで構成されている。
【００５２】
図１１に示されるように、第３樹脂突部４３は、第２樹脂突部４２に対して左斜め下方に配置され、第２樹脂突部４２との間に、遊技球が通過可能な第２突部間流路ＴＲ２を形成する。詳細には、第３樹脂突部４３の右側面には、右下がりに傾斜する上側右向き流路形成面４３ＲＡが備えられ、第３樹脂突部４３の上側右向き流路形成面４３ＲＡと第２樹脂突部４２の左向き流路形成面４２Ｌとの間に第２突部間流路ＴＲ２が形成されている。
【００５３】
ここで、上述の如く、第２樹脂突部４２の左向き流路形成面４２Ｌは、略鉛直になっているので、第２突部間流路ＴＲ２は、下方へ向かうに従って幅狭に構成される。これにより、第２突部間流路ＴＲ２を流下する遊技球の勢いを低減させることが可能となり、第２突部間流路ＴＲ２から流下してきた遊技球を、第２流路Ｒ２に沿って流下させたり、後述する第３流路Ｒ３に沿って流下させ易くなる。
【００５４】
また、第３樹脂突部４３は、横壁３４の延長線上に配置され、誘導傾斜壁３５との間に、第３流路Ｒ３を形成する。詳細には、第３樹脂突部４３の右側面には、上側右向き流路形成面４３ＲＡの下端から誘導傾斜壁３５に沿って延びる下側右向き流路形成面４３ＲＢが備えられ、第３樹脂突部４３の下側右向き流路形成面４３ＲＢと誘導傾斜壁３５との間に第３流路Ｒ３が形成されている。なお、下側右向き流路形成面４３ＲＢは、誘導傾斜壁３５と略平行である。
【００５５】
このように、第３樹脂突部４３は、横壁３４の延長線上に配置され、横壁３４に沿って流下してきた遊技球と衝突してその遊技球の流下方向を変更可能に構成されている。これにより、横壁３４に沿って流下してきた遊技球の流下の勢いを抑制し、遊技球が遊技領域ＹＲ１の外縁部まで移動してガイドレール１２に衝突することが抑えられ、或は、遊技釘（障害釘１７）に直接接触することを抑制することで遊技釘の釘折れを抑制し、遊技球のスムーズな流下が図られる。しかも、第３樹脂突部４３のうち横壁３４に延長線上に配される下側右向き流路形成面４３ＲＢは、誘導傾斜壁３５に沿って延びるので、横壁３４に沿って流下してきた遊技球を下側右向き流路形成面４３Ｂに衝突させて誘導傾斜壁３５に沿って流下させることが可能となる。
【００５６】
ここで、第３樹脂突部４３（下側右向き流路形成面４３ＲＢ）と誘導傾斜壁３５との間の間隔、即ち、第３流路Ｒ３の幅は、遊技球１個分より大きく、１．５個分以下となっている。これにより、第３流路Ｒ３を通過する遊技球のばたつきが抑えられ、遊技球のスムーズな流下が図られる。
【００５７】
また、図１２に示されるように、第３樹脂突部４３は、第１レール１２Ａの左側端部１２ＡＬの右側に配置されて、球戻り規制部材５０に右側から対向する。第３樹脂突部４３と球戻り規制部材５０との間の間隔は、遊技球１個分より大きくなっていて、第３樹脂突部４３は、球戻り規制部材５０との間に第４流路Ｒ４を形成する。詳細には、第３樹脂突部４３の左側面は、左下がりに傾斜する上側左向き流路形成面４３ＬＡと、上側左向き流路形成面４３ＬＡから下方に延びて球戻り規制部材５０の支持ベース５１の周りを円弧状に囲む下側左向き流路形成面４３ＬＢと、で構成されている。そして、上側左向き流路形成面４３ＬＡと球戻り規制部材５０の開閉部材５３との間に第４流路Ｒ４の上流側部分が形成され、下側左向き流路形成面４３ＬＢと球戻り規制部材５０の支持ベース５１との間に第４流路Ｒ４の下流側部分が形成されている。
【００５８】
ここで、下側左向き流路形成面４３ＬＢは、球戻り規制部材５０の支持ベース５１を外側から囲む円弧状に形成されていて、第４流路Ｒ４の下流側部分は、支持ベース５１の外左側をなぞるように円弧状に延在している。これにより、開閉部材５３を回動可能に支持する支持ベース５１に遊技球が衝突することが防がれ、開閉部材５３のスムーズな回動が図られる。また、下側左向き流路形成面４３ＬＢと支持ベース５１との間隔は（即ち、第４流路Ｒ４の下流側部分の流路幅）は、遊技球１個分より大きく１．５個分以下となっている。これにより、支持ベース５１と第３樹脂突部４３との間を通過する遊技球をスムーズに流下させることが可能となる。
【００５９】
また、上述の如く、開閉部材５３は、進入口１２Ｋを閉じる閉位置（図１３（Ａ）参照）と、進入口１２Ｋを開く開位置（図１３（Ｂ）参照）との間を遊技盤１１の前面に沿って回動する。従って、第４流路Ｒ４の上流側部分の流路幅は、開閉部材５３の配置により変化する。具体的には、第４流路Ｒ４の上流側部分の流路幅は、開閉部材５３が閉位置に配置されたときよりも、開閉部材５３が開位置に配置されたときの方が狭くなる。
【００６０】
開閉部材５３が開位置に配置されたとき（即ち、球戻り規制部材５０が進入口１２Ｋを最大開放している状態のとき）の可動片５４と上側左向き流路形成面４３ＬＡとの間の間隔は、遊技球１個分より大きく１．５個分以下となっている。これにより、第４流路Ｒ４の上流側部分を通過する遊技球のばたつきを抑えることが可能となる。また、上側左向き流路形成面４３ＬＡは、開閉部材５３が開位置に配置されたときの可動片５４と略平行に配置されるので、開閉部材５３が開位置に配置されて第４流路Ｒ４の流路幅が狭められても、開閉部材５３と第３樹脂突部４３との間で遊技球が弾き合うことが抑制され、第４流路Ｒ４に遊技球をスムーズに流下させることが可能となる。
【００６１】
また、図１３（Ａ）に示されるように、開閉部材５３が閉位置に配置されると、第４流路Ｒ４の上流側部分（即ち、可動片５４と上側左向き流路形成面４３ＬＡとに挟まれる部分）の流路幅は、下流側へ向かうに従って狭くなる。これにより、第４流路Ｒ４を流下する遊技球の勢いを低減して、その遊技球をスムーズに流下させることが可能となる。
【００６２】
図９及び図１２に示されるように、遊技領域ＹＲ１のうち第３樹脂突部４３の下方に位置する部分には、障害釘１７が複数設けられている。これら複数の障害釘１７には、第３樹脂突部４３の下側右向き流路形成面４３ＲＢの延長線上に配置されて、誘導傾斜壁３５との間に遊技球が通過可能な間隔を有する球通過許容釘１７Ａが含まれている。これにより、誘導傾斜壁３５と下側右向き流路形成面４３ＲＢとの間の第３流路Ｒ３を遊技球が流下するときに、障害釘１７が遊技球の流下の妨げになることが抑えられる。なお、球通過許容釘１７Ａは、下側右向き流路形成面４３ＲＢの延長線よりも誘導傾斜壁３５から離れて配置されてもよい。
【００６３】
第３樹脂突部４３と球通過許容釘１７Ａとの間には、遊技球１個分より大きく２個分より小さい隙間が形成されている。そして、球戻り規制部材５０と第３樹脂突部４３との間の第４流路Ｒ４を流下してきた遊技球を誘導傾斜壁３５へ向けて移動させることが可能となっている。
【００６４】
図９〜１３に示されるように、本実施形態の遊技機１０では、樹脂突部４０Ｔに、いったん遊技領域ＹＲ１に進入した遊技球が案内路１３に逆戻りすることを抑制する球戻り抑制部４５が設けられている。球戻り抑制部４５は、第２樹脂突部４２と第３樹脂突部４３に設けられているが、第２樹脂突部４２と第３樹脂突部４３の何れか１つに設けられていればよい。何れの場合であっても、球戻り抑制部４５は、複数の樹脂突部４０Ｔのうち案内路１３に近い側に配置される樹脂突部４０Ｔに設けられている。
【００６５】
図１０に示されるように、第２樹脂突部４２に設けられた球戻り抑制部４５は、右向き流路形成面４２Ｒの上端部から突出した上端突起４２Ｔにより構成される。上端突起４２Ｔは、球導入領域ＹＲ５のうち円弧状案内部１２Ｅに沿って移動する遊技球が通過可能な領域に向かって突出する。
【００６６】
図１１に示されるように、第３樹脂突部４３に設けられた球戻り抑制部４５は、上側右向き流路形成面４３ＲＡの上端部から突出した上端突起４３Ｔにより構成される。上端突起４３Ｔは、上端突起４２Ｔと同様に、球導入領域ＹＲ５のうち円弧状案内部１２Ｅに沿って移動する遊技球が通過可能な領域に向かって突出する。
【００６７】
このように、遊技機１０では、球戻り抑制部４５が、球導入領域ＹＲ５のうち円弧状案内部１２Ｅに沿って移動する遊技球が通過可能な領域に向けて突状に形成されているので、球戻り抑制部４５が案内路１３へと向かう遊技球と衝突して、遊技球の逆戻りを抑制することが可能となる。また、遊技機１０では、球戻り抑制部４５が第２樹脂突部４２に設けられているので、第１樹脂突部４１によって案内路１３側へ跳ね返された遊技球の逆戻りを抑制することができる。しかも、上述したように、第１樹脂突部４１の左向き流路形成面４１Ｌと第２樹脂突部４２の右向き流路形成面４２Ｒとの間の間隔、即ち、第１突部間流路ＴＲ１の流路幅は、下方へ向かうに従って狭くなるので、第１突部間流路ＴＲ１を流下する遊技球の勢いを低減させて、遊技球が案内路１３側へ向かうことを抑制可能となる。
【００６８】
また、遊技機１０では、球戻り抑制部４５が第３樹脂突部４３に設けられているので、第２樹脂突部４２によって案内路１３側に跳ね返された遊技球の逆戻りを抑制することができる。しかも、上述したように、第２樹脂突部４２の左向き流路形成面４２Ｌと第３樹脂突部４３の上側右向き流路形成面４３ＲＡとの間の間隔、即ち、第２突部間流路ＴＲ２の流路幅は、下方へ向かうに従って狭くなるので、第２突部間流路ＴＲ２を流下する遊技球の勢いを低減させて、遊技球が案内路１３側へ向かうことを抑制可能となる。
【００６９】
また、遊技機１０では、球戻り抑制部４５は、右下がりに傾斜する、即ち、案内路１３から離れるに従って下るように傾斜する傾斜面（第２樹脂突部４２の右向き流路形成面４２Ｒと第３樹脂突部４３の上側右向き流路形成面４３ＲＡ）の上端部から突出しているので、該傾斜面に受け止められずに案内路１３側へと向かおうとする遊技球に球戻り抑制部４５が衝突することで、遊技球の逆戻りを抑制することが可能となる。しかも、該傾斜面で受け止めた遊技球を案内路１３から離れる側に移動させることができるので、遊技球の逆戻りを一層抑制することができる。
【００７０】
また、球戻り抑制部４５は、第１突部間流路ＴＲ１を形成する右向き流路形成面４２Ｒ、第２突部間流路ＴＲ２を形成する上側右向き流路形成面４３ＲＡの上端部から突出しているので、各突部間流路ＴＲ１，ＴＲ２に、遊技球がスムーズに流下可能な流路幅を確保しつつ、遊技球の逆戻りを抑制することが可能となっている。なお、各流路形成面４２Ｒ，４３ＲＡに球戻り抑制部４５が突設されない構成では、各突部間流路ＴＲ１，ＴＲ２に十分な流路幅を確保することはできるが、遊技球の逆戻りが発生し易くなってしまう。
【００７１】
ところで、遊技機１０では、例えば、図１７に示されるように、２つの遊技球を糸Ｓで繋ぎ、一方の遊技球を遊技者の手元に残した状態（即ち、上皿２６や下皿２７に残した状態）で他方の遊技球を遊技領域ＹＲ１内に打ち込む、所謂、糸吊りゴトと呼ばれる不正行為が行われることがある。糸吊りゴトでは、一方の遊技球が操作されることにより遊技領域ＹＲ１内で他方の遊技球が入賞口１４Ａ，１４Ｂ，２０，２１に誘導され、不正に特別図柄当否判定の権利や賞球が獲得される。
【００７２】
このような糸吊りゴトを防ぐために、従来の遊技機では、例えば、発射機構ユニット６０に、不正防止部材（図示せず）が取り付けられていた（例えば、特許第５２８５７２８号参照）。この不正防止部材は、Ｖ字状の切断刃を備え、発射装置６１から遊技領域ＹＲ１に向けて斜め上方に遊技球が発射されると、その遊技球に取り付けられた糸Ｓを該切断刃にて捕捉又は切断する。しかしながら、該不正防止部材では、遊技球の発射力が遊技領域ＹＲ１へ到達する程度に強いことを前提としていて、発射装置６１から発射した遊技球によって斜め上方へと引っ張られる糸Ｓを切断するように切断刃が配置されている。このため、例えば、発射力が弱いために球回収ダクト６８に回収される遊技球に取り付けられた糸Ｓについては、捕捉又は切断することができなかった。その結果、糸Ｓで繋がった２つの遊技球のうち一方の遊技球の発射力を弱くして、故意に、一方の遊技球を下皿２８に排出させた後、他方の遊技球を遊技領域ＹＲ１内に打ち込む、別の糸吊りゴトが行われることがあった。この別の糸吊りゴトでは、他方の遊技球が発射される際に一方の遊技球が下皿２８にあるので、糸Ｓが下方に引っ張られることとなり、切断刃による捕捉や切断を免れる。
【００７３】
本実施形態の遊技機１０では、上記した別の糸吊りゴトを防ぐべく、糸Ｓを捕捉又は切断する不正防止部材が第１レール１２Ａに取り付けられている（図６及び図７参照）。具体的には、図１５に示されるように、球戻り規制部材５０の支持ベース５１に、例えば、ステンレス製の金属板により構成される金属カバー７０が取り付けられていて、この金属カバー７０に第１の不正防止部材８１と第２の不正防止部材８２の２種類の不正防止部材が設けられている。金属カバー７０は、支持ベース５１のうち案内路１３内に臨む部分を覆う主カバー部７１と、支持ベース５１の後壁５２Ａの後面を覆う後カバー部７２Ａと、支持ベース５１の前壁５２Ｂの前面を覆う前カバー部７２Ｂと、を有し、第１の不正防止部材８１は、主カバー部７１に形成され、第２の不正防止部材８２は、前カバー部７２Ｂに形成されている。
【００７４】
まず、第１の不正防止部材８１について説明する。図１５及び図１６に示されるように、主カバー部７１は、縦長矩形状に形成されていて、主カバー部７１の前後方向の略中央において下端から上側に延びた切れ込み７３と、切れ込み７３を境界として前後に分断された前側刃部７４及び後側刃部７５と、を有している。そして、前側刃部７４及び後側刃部７５の先端が互いに離れるように前側刃部７４が案内路１３内に向けて屈曲することで、前側刃部７４と後側刃部７５との間にＶ字状の切断部７６を有する第１の不正防止部材８１が形成されている。また、前側刃部７４及び後側刃部７５のそれぞれの下端縁には、上側へ向かうに従って切断部７６へ向かうように傾斜した傾斜案内部７７が設けられている。
【００７５】
このように、第１の不正防止部材８１においては、図７、図１５、図１６（Ｂ）に示すように、前側刃部７４が案内路１３内へ突入するように屈曲することで、切断部７６が前側から見てＶ字状に形成されている。これにより、第１の不正防止部材８１では、遊技球に付けられた糸がＶ字状の切断部７６内に挿入され易くなっている。また、第１の不正防止部材８１では、前側刃部７４と後側刃部７５のそれぞれに形成された傾斜案内部７７は切断部７６に連絡しているので、傾斜案内部７７によって遊技球に付けられた糸を切断部７６内に案内することができるようになっている。
【００７６】
次に、第２の不正防止部材８２について説明する。図１５、図１６（Ａ）に示されるように、金属カバー７０は、主カバー部７１と前カバー部７２Ｂとで構成されるコーナー部分に、両カバー部７１，７２Ｂに跨って形成された貫通孔７０Ａを有している。そして、その結果、主カバー部７１と前壁７２とに、切欠部７１Ｋ，７２ＢＫが形成されている。また、前カバー部７２Ｂには、切欠部７２ＢＫから主カバー部７１と反対側（即ち、案内路１３から離れる側）に延びた１対の切れ込み８３，８３が形成されている。そして、それら１対の切れ込み８３，８３の間に挟まれた内側刃部８４が、１対の切れ込み８３，８３の外側に配された外側刃部８５に対して前側に屈曲することで、内側刃部８４と外側刃部８５との間にＶ字状の切断部８６を有する第２の不正防止部材８２が形成されている。
【００７７】
このように、第２の不正防止部材８２においては、内側刃部８４が前側に屈曲することで、切断部８６が案内路１３に沿った方向から見てＶ字状に形成されている。これにより、第２の不正防止部材８２では、遊技球に取り付けられた糸Ｓが第１レール１２Ａの前側に乗り上がったときに、その糸ＳがＶ字状の切断部８６内に挿入され易くなっている。
【００７８】
本実施形態の遊技機１０では、上記した別の糸吊りゴトが行われると、下皿２８にある一方の遊技球によって糸Ｓが下方に引っ張られながら、他方の遊技球が遊技領域ＹＲ１内に打ち込まれる。そして、他方の遊技球が遊技領域ＹＲ１内を流下すると、第１の不正防止部材８１の切断部７６又は第２の不正防止部材８２の切断部８６に糸Ｓが案内されて捕捉又は切断される。なお、図１８には、糸Ｓが第１の不正防止部材８１に捕捉された状態が示され、図１９には、糸Ｓが第２の不正防止部材８２に捕捉された状態が示されている。これにより、別の糸吊りゴトを防止することが可能となる。
【００７９】
なお、本実施形態の遊技機１０において、第２の不正防止部材８２のみを備える構成としてもよい。この場合、主カバー部７１には、第１の不正防止部材８１の代わりに、第２の不正防止部材８２の切断部８６へ向けて糸を誘導する誘導部が備えられてもよい。なお、該誘導部は、例えば、主カバー部７１の案内路１３側を向く面に、案内路１３の下流側（即ち、進入口１２Ｋへ近づく側）へ向かうに従って前側へ傾斜する傾斜面を備えることで形成される。
【００８０】
以上説明した本実施形態の遊技機１０によれば、以下の効果を奏することが可能となる。
【００８１】
遊技機１０では、発射装置６１から発射された遊技球が案内路１３を通って遊技領域ＹＲ１に打ち込まれる。ここで、遊技球が遊技領域ＹＲ１内に配設された部材（例えば、第１樹脂突部４１や第２樹脂突部４２）と衝突して跳ね返されると、その遊技球が案内路１３へと逆戻りすることが考えられる。しかしながら、本実施形態の遊技機１０においては、樹脂突部４０Ｔ（詳細には、第２樹脂突部４２と第３樹脂突４３部）には、遊技領域ＹＲ１内の遊技球が案内路１３へ逆戻りすることを抑制する球戻り抑制部４５が設けられているので、遊技球の逆戻りが抑制される。
【００８２】
また、遊技機１０では、樹脂突部４０Ｔのメンテナンスや樹脂突部４０Ｔの数、配置の変更等を目的として、樹脂突部４０Ｔを交換することがある。ここで、表示装飾枠２３から外側に張り出して遊技盤１１の前面に重ねられるフランジ部（張出片３６）に樹脂突部４０Ｔが突設される構成では、表示装飾枠２３ごと交換する必要があり、樹脂突部４０Ｔの交換に手間がかかることが考えられる。しかしながら、本実施形態の遊技機１０においては、樹脂突部４０Ｔを有する樹脂体４０が表示装飾枠２３と別体に設けられているので、樹脂突部４０Ｔの交換を容易に行うことが可能となる。
【００８３】
また、遊技機１０では、表示装飾枠２３の横壁３４の延長線上に配置された第３樹脂突部４３が横壁３４に沿って流下してきた遊技球と衝突してその遊技球の流下方向を変更可能になっているので、その遊技球の流下の勢いを抑制し、遊技球が遊技領域ＹＲ１の外縁部まで移動してガイドレール１２に衝突することが抑えられ、或は、遊技釘（障害釘１７）に直接接触することを抑制することで遊技釘の釘折れを抑制し、遊技球を下方へとスムーズに流下させることが可能となる。
【００８４】
また、遊技機１０では、第３樹脂突部４３が球戻り規制部材５０に対向配置されるので、球戻り規制部材５０に遊技球が衝突しにくくなり、球戻り規制部材５０の損傷が抑えられる。また、開状態の球戻り規制部材５０（詳細には、閉位置に配置された開閉部材５３の可動片５４）と第３樹脂突部４３との間隔は遊技球１個分より大きくなっているので、遊技球が球戻り規制部材５０に衝突した場合に、その遊技球を球戻り規制部材５０と第３樹脂突部４３との間に流下させることが可能となる。
【００８５】
［他の実施形態］
（１）上記実施形態において、第１樹脂突部４１を備えない構成としてもよい。
【００８６】
（２）上記実施形態において、第２樹脂突部４２と第３樹脂突部４３の何れか一方のみを備える構成としてもよい。この場合、第１樹脂突部４１を備える構成であってもよいし、第１樹脂突部４１を備えない構成であってもよい。何れの構成によっても、球戻り抑制部４５によって遊技球の逆戻りを抑制することができる。
【００８７】
（３）上記実施形態において、第１樹脂突部４１、第２樹脂突部４２、第３樹脂突部４３に加えて、樹脂突部４０Ｔをさらに備える構成としてもよい。
【００８８】
（４）上記実施形態において、樹脂体４０を備えずに、樹脂突部４０Ｔを、遊技盤１１の前面から突出させてもよいし、表示装飾枠２３の張出片３６から突出させてもよい。
【００８９】
（５）上記実施形態において、樹脂突部４０Ｔのうち右下がりに傾斜する傾斜面（第２樹脂突部４２の右向き流路形成面４２Ｒ、第３樹脂突部４３の上側右向き流路形成面４３ＲＡ）は、直線状に形成されていたが、図２０に示されるように、円弧状に形成されてもよい。
【００９０】
（６）上記実施形態では、球戻り抑制部４５は、樹脂突部４０Ｔのうち右下がりに傾斜する傾斜面（第２樹脂突部４２の右向き流路形成面４２Ｒ、第３樹脂突部４３の上側右向き流路形成面４３ＲＡ）の上端部から突出していたが、第１樹脂突部４１を備える場合には、左下がりに傾斜する傾斜面や鉛直面の上端部から突出してもよい。
【００９１】
（７）上記実施形態において、第１樹脂突部４１の左向き流路形成面４１Ｒ又は第２樹脂突部４２の左向き流路形成面４２Ｒは、鉛直方向に沿って形成されてもよいし、右下がりに形成されてもよい。
【００９２】
（８）上記実施形態において、ベース板４０Ａの境界縁部４０Ｆは、張出片３６とは異なる形状（例えば、直線状や円弧状）に形成されてもよい。なお、この場合において、張出片３６は、流下案内壁３２に対応するクランク形状であってもよいし、クランク形状でなくてもよい。
【００９３】
（９）上記実施形態において、張出片３６のうち境界縁部４０Ｆと対向する部分がテーパー状に形成されずに、絶壁状に形成されてもよい。また、境界縁部４０Ｆのうち張出片３６と対向する部分が絶壁状に形成されずに、張出片３６に近づくに薄くなるテーパー状に形成されてもよい。
【００９４】
（１０）上記実施形態において、ベース板４０Ａの上縁部が、第１レール１２Ａの延長線に沿って配置されずに、該延長線よりも遊技領域ＹＲ１の内側に配置されてもよい。
【００９５】
（１１）上記実施形態において、第３樹脂突部４３の下側右向き流路形成面４３ＲＢは、誘導傾斜壁３５と略平行に形成されていたが、誘導傾斜壁３５とは下り勾配が異なる非平行に形成されてもよいし、左側へ向かうに従って下り勾配が大きくなるように湾曲した円弧状に形成されてもよい。
【００９６】
（１２）上記実施形態において、球通過許容釘１７Ａの数を増やして、第３樹脂突部４３の下側右向き流路形成面４３ＲＢの延長線に沿って複数の球通過許容釘１７Ａを並べてなる道釘を形成してもよい。その際、該道釘と第３樹脂突部４３との間を遊技球が通過不能に構成してもよい。
【００９７】
（１３）上記実施形態において、第２樹脂突部４２の底面４２Ｓと横壁３４との間に形成される第２流路Ｒ２は、左側へ向かうに従って上下方向に狭くなってもよいし、左側へ向かうに従って上下方向に広くなってもよい。
【００９８】
（１４）上記実施形態において、球戻り規制部材５０は、遊技盤１１の前面に沿って移動して進入口１２Ｋを開閉する弾性片で構成されてもよい。
【００９９】
（１５）上記実施形態において、糸Ｓを捕捉又は切断するための不正防止部材は、球戻り規制部材５０の支持ベース５１に取り付けられずに、第１レール１２Ａの左側端部１２ＬＡより案内路１３の上流側に取り付けられてもよい。また、上記実施形態において、不正防止部材を備えない構成としてもよい。
【０１００】
（１６）上記実施形態において、第３樹脂突部４３の下側左向き流路形成面４３ＬＢは、支持ベース５１の周りを囲む円弧状に形成されていたが、支持ベース５１との間に遊技球が通過可能な間隔を有するものであればよく、特に円弧状に限定されるものではない。
【０１０１】
（１７）上記実施形態において、第３樹脂突部４３の上側左向き流路形成面４３ＬＡは、開位置に配置されたときの開閉部材５３と略平行であったが、上側左向き流路形成面４３ＬＡと開位置の開閉部材５３との間隔が遊技球１個分より大きければよく、例えば、開位置の開閉部材５３より下り勾配が大きくてもよい。
【０１０２】
＜上記各実施形態から抽出される発明群について＞
以下、上述した各実施の形態から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【０１０３】
以下の特徴Ａ群は、「遊技盤の前面に遊技球が流下可能な遊技領域が形成された」遊技機に関し、「特許文献１の遊技機では、遊技領域の左上部から右斜め上方に打ち込まれた遊技球が、遊技盤に取り付けられたセンター枠（進入規制枠）の左上部と衝突して下方に流下する。そして、この遊技機では、センター枠（進入規制枠）の左上部から上方に張り出して遊技盤に重ねられる樹脂プレートに樹脂突部を突設させて、遊技球の流下方向を変更する障害釘の代替としている。」という背景技術について、「特許文献１の遊技機では、発射装置から発射された遊技球を遊技領域の左上部へと案内する案内路が設けられている。そして、特許文献１の遊技機では、遊技領域に打ち込まれた遊技球が、遊技領域に設けられた遊技部材との接触状況に応じて案内路に逆戻りするという問題が起こり得た。」という課題をもってなされたものである。
【０１０４】
＜特徴Ａ群＞
特徴Ａ１：遊技球が流下可能な遊技領域（遊技領域ＹＲ１）を前面に有する遊技盤（遊技盤１１）と、発射装置（発射装置６１）から発射された遊技球を前記遊技領域へと案内する案内路（案内路１３）と、遊技球が衝突することでその遊技球の流下方向を変更可能な樹脂突部（樹脂突部４０Ｔ）と、を備え、前記樹脂突部には、前記遊技領域内の遊技球が前記案内路へ逆戻りすることを抑制する球戻り抑制部（球戻り抑制部４５）が設けられていることを特徴とする遊技機。
【０１０５】
本特徴に示す構成では、樹脂突部に設けられた球戻り抑制部によって遊技球の逆戻りが抑制される。
【０１０６】
特徴Ａ２：前記球戻り抑制部は、前記遊技領域のうち前記案内路に沿って配置される領域であって前記遊技領域内に進入した遊技球が通過可能な領域に向けて突状に形成されていることを特徴とする特徴Ａ１に記載の遊技機。
【０１０７】
本特徴に示す構成では、球戻り抑制部が、案内路へ向かう遊技球と衝突することで、その遊技球の逆戻りが抑制される。
【０１０８】
特徴Ａ３：前記樹脂突部として、第１樹脂突部（第１樹脂突部４１）と、前記第１樹脂突部よりも前記案内路に近い側に配される第２樹脂突部（第２樹脂突部４２）とを有し、前記球戻り抑制部は、少なくとも前記第２樹脂突部に設けられていることを特徴とする特徴Ａ１又はＡ２に記載の遊技機。
【０１０９】
本特徴に示す構成によれば、第１樹脂突部によって案内路側へ跳ね返された遊技球が第２樹脂突部に設けられた球戻り抑制部と衝突することで、第１樹脂突部に跳ね返された遊技球の逆戻りを抑制することが可能となる。
【０１１０】
特徴Ａ４：前記第２樹脂突部のうち前記第１樹脂突部側を向く部分には、前記第１樹脂突部へ近づくに従って下るように傾斜する第１傾斜面（右向き流路形成面４２Ｒ）が形成され、前記球戻り抑制部は、前記第１傾斜面の上端部から突出していることを特徴とする特徴Ａ３に記載の遊技機。
【０１１１】
特徴Ａ４に示す構成では、第２樹脂突部の第１傾斜面にて受け止めた遊技球を第１樹脂突部側、即ち、案内路から離れる側に移動させることができるので、遊技球の逆戻りを抑制することができる。
【０１１２】
特徴Ａ５：前記第１樹脂突部のうち前記第２樹脂突部側を向く部分には、鉛直方向に沿って延びる第１鉛直面（左向き流路形成面４１Ｌ）が形成されていることを特徴とする特徴Ａ４に記載の遊技機。
【０１１３】
本特徴に示す構成によれば、第１樹脂突部の第１鉛直面と第２樹脂突部の第１傾斜面との間の間隔が下方へ向かうに従って狭くなるので、第１樹脂突部と第２樹脂突部との間を流下する遊技球の勢いを低減させて、遊技球の逆戻りを抑制することが可能となる。
【０１１４】
特徴Ａ６：前記樹脂突部として、前記第２樹脂突部よりも前記案内路に近い側に配される第３樹脂突部（第３樹脂突部４３）を有し、前記球戻り抑制部は、前記第３樹脂突部にも設けられていることを特徴とする特徴Ａ３乃至Ａ５の何れか１つに記載の遊技機である。
【０１１５】
本特徴に示す構成によれば、第２樹脂突部によって案内路側へ跳ね返された遊技球が第３樹脂突部に設けられた球戻り抑制部と衝突することで、第２樹脂突部に跳ね返された遊技球の逆戻りを抑制することが可能となる。
【０１１６】
特徴Ａ７：前記第３樹脂突部のうち前記第２樹脂突部側を向く部分には、前記第２樹脂突部へ近づくに従って下るように傾斜する第２傾斜面（上側右向き流路形成面４３ＲＡ）が形成され、前記第３樹脂突部に設けられた前記球戻り抑制部は、前記第２傾斜面の上端部から突出していることを特徴とする特徴Ａ６に記載の遊技機である。
【０１１７】
本特徴に示す構成では、第２樹脂突部の第２傾斜面にて受け止めた遊技球を第２樹脂突部側、即ち、案内路から離れる側に移動させることができるので、遊技球の逆戻りを抑制することができる。
【０１１８】
特徴Ａ８：前記第２樹脂突部のうち前記第３樹脂突部側を向く部分には、鉛直方向に沿って延びる第２鉛直面（左向き流路形成面４２Ｌ）が形成されていることを特徴とする特徴Ａ７に記載の遊技機である。
【０１１９】
本特徴に記載の構成によれば、第２樹脂突部の第２鉛直面と第３樹脂突部の第２傾斜面との間の間隔が下方へ向かうに従って狭くなるので、第２樹脂突部と第３樹脂突部との間を流下する遊技球の勢いを低減させて、遊技球の逆戻りを抑制することが可能となる。
【０１２０】
特徴Ａ９：遊技球が流下可能な遊技領域（遊技領域ＹＲ１）を前面に有する遊技盤（遊技盤１１）と、発射装置（発射装置６１）から発射された遊技球を前記遊技領域へと案内する案内路（案内路１３）と、遊技球が衝突することでその遊技球の流下方向を変更可能な樹脂突部（樹脂突部４０Ｔ）と、を備え、前記樹脂突部には、前記案内路から離れるに従って下るように傾斜し、遊技球を受け止めて前記案内路から離れる側へ案内可能な受止傾斜面（第２樹脂突部４２の右向き流路形成面４２Ｒや第３樹脂突部４３の上側右向き流路形成面４３ＲＡ）が形成され、前記受止傾斜面の上端部から突出して、前記遊技領域内の遊技球が前記案内路へ逆戻りすることを抑制する球戻り抑制部（球戻り抑制部４５）が設けられていることを特徴とする遊技機。
【０１２１】
本特徴に示す構成では、樹脂突部に設けられた球戻り抑制部が、案内路へと向かう遊技球と衝突することで、その遊技球の逆戻りが抑制される。
【０１２２】
特徴Ａ１０：前記樹脂突部として、第１樹脂突部（第１樹脂突部４１）と、前記第１樹脂突部よりも前記案内路の出口に近い側に配され且つ前記受止傾斜面（右向き流路形成面４２Ｒ）を有する第２樹脂突部（第２樹脂突部４２）とを有し、前記球戻り抑制部は、少なくとも前記第２樹脂突部に設けられていることを特徴とする特徴Ａ９に記載の遊技機。
【０１２３】
本特徴に示す構成では、第１樹脂突部によって案内路側へ跳ね返された遊技球が第２樹脂突部に設けられた球戻り抑制部と衝突することで、第１樹脂突部に跳ね返された遊技球の逆戻りを抑制することが可能となる。
【０１２４】
特徴Ａ１１：前記樹脂突部として、前記第２樹脂突部よりも前記案内路の出口に近い側に配され且つ前記受止傾斜面（上側右向き流路形成面４３ＲＡ）を有する第３樹脂突部（第３樹脂突部４３）を有し、前記球戻り抑制突起は、前記第３樹脂突部にも設けられていることを特徴とする特徴Ａ１０に記載の遊技機。
【０１２５】
本特徴に示す構成では、第２樹脂突部によって案内路側へ跳ね返された遊技球が第３樹脂突部に設けられた球戻り抑制部と衝突することで、第２樹脂突部に跳ね返された遊技球の逆戻りを抑制することが可能となる。
【０１２６】
なお、特徴Ａ１０に示す構成に特徴Ａ５に示す構成が組み合わされてもよい。また、特徴Ａ１１に示す構成に特徴Ａ７〜８に示す構成が組み合わされてもよい。
【０１２７】
特徴Ａ１２：遊技球が流下可能な遊技領域（遊技領域ＹＲ１）を前面に有する遊技盤（遊技盤１１）と、発射装置（発射装置６１）から発射された遊技球を前記遊技領域へと案内する案内路（案内路１３）と、前記遊技盤の前面に敷設された樹脂製のベース板（４０Ａ）と、前記ベース板から突出し、遊技球が衝突することでその遊技球の流下方向を変更可能な樹脂突部（樹脂突部４０Ｔ）と、を備え、前記樹脂突部には、前記遊技領域内の遊技球が前記案内路に逆戻りすることを抑制する球戻り抑制部（球戻り抑制部４５）が設けられていることを特徴とする遊技機。
【０１２８】
本特徴の構成によれば、樹脂突部に設けられた球戻り抑制部が、案内路へ向かう遊技球と衝突することで、その遊技球の逆戻りが抑制される。
【０１２９】
なお、特徴Ａ１２に示す構成に、特徴Ａ２〜Ａ８に示す構成を組み合わせてもよい。
【０１３０】
以下の特徴Ｂ群は、「遊技盤の前面に遊技球が流下可能な遊技領域が形成されると共に、遊技領域内で遊技盤を貫通する開口部に、遊技球が開口部の内側に進入することを規制する進入規制枠が取り付けられた」遊技機に関するものであり、「特許文献１の遊技機では、遊技領域の左上部から右斜め上方に打ち込まれた遊技球が、進入規制枠の左上部と衝突して下方に流下する。そして、この遊技機では、進入規制枠の左上部から上方に張り出して遊技盤に重ねられる樹脂プレートに樹脂突部を突設させて、遊技球の流下方向を変更する障害釘の代替としている。」という背景技術について、「特許文献１の遊技機では、樹脂突部を交換しようとすると、進入規制枠ごと交換しなければならず、交換作業に手間がかかるという」という課題をもってなされたものである。
【０１３１】
＜特徴Ｂ群＞
特徴Ｂ１：遊技球が流下可能な遊技領域（遊技領域ＹＲ１）を前面に有する遊技盤（遊技盤１１）と、前記遊技盤を貫通する開口部（表示開口１１Ｈ）と、前記開口部に前側から嵌合されて、前記遊技領域を流下する遊技球が前記開口部の内側に進入することを規制する進入規制枠（表示装飾枠２３）と、を有し、前記遊技盤の前面に敷設される樹脂製のベース板（ベース板４０Ａ）と、前記ベース板から突出し且つ遊技球が衝突することでその遊技球の流下方向を変更可能な樹脂突部（樹脂突部４０Ｔ）と、からなる樹脂体（樹脂体４０）を前記進入規制枠とは別体に設けたことを特徴とする遊技機。
【０１３２】
本特徴に示す構成では、樹脂突部を有する樹脂体が進入規制枠と別体に設けられているので、樹脂突部を交換する際に、進入規制枠ごと交換する必要がなくなり、樹脂突部の交換を容易に行うことが可能となる。
【０１３３】
特徴Ｂ２：前記進入規制枠には、前記ベース板と略同じ厚みを有して、前記開口部の縁部に重ねられる張出片（張出片３６）が設けられると共に、前記ベース板のうち前記進入規制枠側を向く部分には、前記張出片に対応した形状をなす境界縁部（境界縁部４０Ｆ）が設けられ、前記境界縁部の少なくとも一部が前記張出片に沿って配置されていることを特徴とする特徴Ｂ１に記載の遊技機。
【０１３４】
本特徴に示す構成によれば、ベース板の境界縁部が進入規制枠の張出片に沿って配置されるので、張出片とベース板との間に遊技球が入り込むことが抑えられる。
【０１３５】
特徴Ｂ３：前記張出片のうち前記境界縁部と対向する部分は、前記境界縁部へ近づくに従って薄くなるテーパー状に形成される一方、前記境界縁部のうち前記張出片と対向する部分は、絶壁状に形成されていることを特徴とする特徴Ｂ２に記載の遊技機。
【０１３６】
本特徴に示す構成では、張出片のうち境界縁部と対向する部分は、境界縁部へ近づくに従って薄くなるテーパー状に形成されるので、そのテーパー状の部分を案内にしてベース板を張出片の隣りに配置することが可能となる。また、境界縁部のうち張出片と対向する部分は、絶壁状に形成されているので、張出片とベース板との間に形成される凹みを小さくすることが可能となり、遊技球のスムーズな流下が図られる。
【０１３７】
特徴Ｂ４：前記遊技領域を包囲する外レール部（第２レール１２Ｂ）及び内レール部（第１レール１２Ａ）を備えて、それら外レール部と内レール部との間に前記案内路を形成し、前記ベース板の上縁部が、前記内レール部の延長線上に配置されて、前記外レール部との間に遊技球が通過可能な隙間を有することを特徴とする特徴Ｂ１乃至Ｂ３の何れか１つに記載の遊技機。
【０１３８】
本特徴に示す構成では、ベース板の上縁部が内レール部の延長線上に配置されて、外レール部との間に遊技球が通過可能な隙間を有するので、案内路から遊技領域に進入した遊技球がベース板と接触して、遊技球の勢いが低減することが抑制される。
【０１３９】
特徴Ｂ５：前記ベース板の上縁部は、前記外レール部へ近づくに従って薄くなっていることを特徴とする特徴Ｂ４に記載の遊技機。
【０１４０】
本特徴に示す構成では、ベース板の上縁部が外レール部へ近づくに従って薄くなっているので、ベース板の上縁部が遊技盤の前面から段付き状に突出する場合と比較して、ベース板の前方へと遊技球をスムーズに流下させることができる。
【０１４１】
特徴Ｂ６：遊技球が流下可能な遊技領域（遊技領域ＹＲ１）を前面に有する遊技盤（遊技盤１１）と、前記遊技盤を貫通する開口部（表示開口１１Ｈ）と、前記開口部に前側から嵌合されて、前記遊技領域を流下する遊技球が前記開口部の内側に進入することを規制する進入規制枠（表示装飾枠２３）と、を有し、遊技球が衝突することでその遊技球の流下方向を変更可能な樹脂突部（樹脂突部４０Ｔ）を、前記進入規制枠とは別体に設けたことを特徴とする遊技機。
【０１４２】
本特徴に示す構成では、樹脂突部の交換を容易に行うことが可能となる。
【０１４３】
以下の特徴Ｃ群は、「遊技盤の前面に遊技球が流下可能な遊技領域が形成されると共に、遊技領域内で遊技盤を貫通する開口部に、遊技球が開口部の内側に進入することを規制する進入規制枠が取り付けられた」遊技機に関するものであり、「特許文献１の遊技機では、遊技領域の左上部から右斜め上方に打ち込まれた遊技球が、進入規制枠の左上部と衝突して下方に流下する。」という背景技術について、「特許文献１の遊技機では、進入規制枠の左上部に、左斜め下方に延びた第１枠壁と、第１枠壁から延設されて第１枠壁よりも下り勾配が大きい第２枠壁と、が設けられている。このような遊技機では、第１枠壁に沿って流下してきた遊技球が遊技釘（障害釘）に接触して、釘折れが発生する虞があった。」という課題をもってなされたものである。
【０１４４】
＜特徴Ｃ群＞
特徴Ｃ１：遊技球が流下可能な遊技領域（遊技領域ＹＲ１）を前面に有し、遊技球の流下方向をランダムに変更可能な障害釘（障害釘１７）を複数備えた遊技盤（遊技盤１１）と、前記遊技領域内で前記遊技盤を貫通する開口部（表示開口１１Ｈ）と、前記開口部に前側から嵌合されて、前記遊技領域を流下する遊技球が前記開口部の内側へ進入することを規制する進入規制枠（表示装飾枠２３）と、を備え、前記進入規制枠には、斜め下方へ延びる第１枠壁（横壁３４）と、前記第１枠壁よりも大きな下り勾配を有して前記第１枠壁のうち下端部からさらに下方へ延びた第２枠壁（傾斜誘導壁３５）と、が備えられ、前記遊技領域には、前記第１枠壁を下方へ延長した延長線上に配置され、第１枠壁に沿って流下してきた遊技球が衝突することでその遊技球の流下方向を変更可能な待受樹脂突部（第３樹脂突部４３）が設けられたことを特徴とする遊技機。
【０１４５】
本特徴に示す構成によれば、進入規制枠の第１枠壁に沿って流下してきた遊技球の流下の勢いを抑制させることが可能となる。
【０１４６】
特徴Ｃ２：前記待受樹脂突部のうち前記第１枠壁側には、前記第２枠壁に沿って延びて前記第２枠壁との間に遊技球が通過可能な流下路を形成する待受傾斜面（下側右向き流路形成面４３ＲＢ）が設けられていることを特徴とする特徴Ｃ１に記載の遊技機。
【０１４７】
本特徴に示す構成では、第１枠壁に沿って流下してきた遊技球を、待受樹脂突部の待受傾斜面に衝突させ、第２枠壁に沿って流下させることが可能となる。
【０１４８】
特徴Ｃ３：前記待受傾斜面と前記第２枠壁との間の間隔が、遊技球１個分より大きく１．５個分以下であることを特徴とする特徴Ｃ２に記載の遊技機。
【０１４９】
本特徴に示す構成では、待受傾斜面と第２枠壁との間を通過する遊技球のばたつきが抑えられる。
【０１５０】
特徴Ｃ４：前記障害釘は、前記待受傾斜面を下方に延ばした延長線上に配置されるか又は前記待受傾斜面を下方に延ばした延長線よりも前記第２枠壁から離れて配置されて、前記第２枠壁との間に遊技球が通過可能な隙間を有する球通過許容釘（球通過許可釘１７Ａ）を含むことを特徴とする特徴Ｃ２又はＣ３に記載の遊技機。
【０１５１】
本特徴に示す構成によれば、第２枠壁と待受傾斜面との間を遊技球が流下するときに、障害釘が遊技球の流下の妨げになることが抑えられる。
【０１５２】
特徴Ｃ５：前記遊技領域には、前記第１枠壁に上側から対向するように配置されて、前記第１枠壁との間に遊技球が通過可能な隙間を有する上側対向樹脂突部（第２樹脂突部４２）が設けられていることを特徴とする特徴Ｃ１乃至Ｃ４の何れか１つに記載の遊技機。
【０１５３】
本特徴に示す構成によれば、上側対向樹脂突部と第１枠壁との間の隙間に遊技球を流下させることが可能となる。
【０１５４】
特徴Ｃ６：前記上側対向樹脂突部の前記第１枠壁との対向面（底面４２Ｓ）は、前記第１枠壁と略平行になっていることを特徴とする特徴Ｃ５に記載の遊技機。
【０１５５】
本特徴に示す構成によれば、上側対向樹脂突部と第１枠壁との間を通過する遊技球を第１枠壁に沿って流下させて、待受樹脂突部に衝突させ易くなる。
【０１５６】
特徴Ｃ７：遊技球が流下可能な遊技領域（遊技領域ＹＲ１）を前面に有し、遊技球の流下方向をランダムに変更可能な障害釘（障害釘１７）を複数備えた遊技盤（遊技盤１１）と、前記遊技領域内で前記遊技盤を貫通する開口部（表示開口１１Ｈ）と、前記開口部に前側から嵌合されて、前記遊技領域を流下する遊技球が前記開口部の内側へ進入することを規制する進入規制枠（表示装飾枠２３）と、前記遊技盤の前面に敷設された樹脂製のベース板（ベース板４０Ａ）と、前記ベース板から突出し、遊技球が衝突することでその遊技球の流下方向を変更可能な樹脂突部（樹脂突部４０Ｔ）と、を備え、前記進入規制枠には、斜め下方へ延びる第１枠壁（横壁３４）と、前記第１枠壁よりも大きな下り勾配を有して前記第１枠壁のうち下端部からさらに下方へ延びた第２枠壁（誘導傾斜壁３５）と、が備えられ、前記樹脂突部には、前記第１枠壁を下方へ延長した延長線上に配置され、前記第１枠壁に沿って流下してきた遊技球の流下方向を変更可能な待受樹脂突部（第３樹脂突部４３）が含まれることを特徴とする遊技機。
【０１５７】
本特徴に示す構成では、進入規制枠の第１枠壁に沿って流下してきた遊技球の流下の勢いを抑制させることが可能となる。
【０１５８】
特徴Ｃ８：前記樹脂突部には、前記第１枠壁に上側から対向するように配置されて、前記第１枠壁との間に遊技球が通過可能な隙間を有する上側対向樹脂突部（第２樹脂突部４２）が含まれることを特徴とする特徴Ｃ７に記載の遊技機。
【０１５９】
本特徴に示す構成によれば、上側対向樹脂突部と第１枠壁との間の隙間に遊技球を流下させることが可能となる。
【０１６０】
なお、特徴Ｃ７に示す構成に、特徴Ｃ２〜Ｃ４に示す構成が組み合わされてもよい。また、特徴Ｃ８に示す構成に、特徴Ｃ６に示す構成が組み合わされてもよい。
【０１６１】
特徴Ｃ９：遊技球が流下可能な遊技領域（遊技領域ＹＲ１）を前面に有する遊技盤（遊技盤１１）と、前記遊技領域内で前記遊技盤を貫通する開口部（表示開口１１Ｈ）と、前記開口部に前側から嵌合されて、前記遊技領域を流下する遊技球が前記開口部の内側へ進入することを規制する進入規制枠（表示装飾枠２３）と、を備え、前記遊技領域には、前記進入規制枠に沿って流下してきた遊技球が衝突することでその遊技球の流下方向を変更可能な待受樹脂突部（第３樹脂突部４３）が設けられていることを特徴とする遊技機。
【０１６２】
本特徴に示す構成によれば、進入規制枠に沿って流下してきた遊技球の流下の勢いを抑制させることが可能となる。
【０１６３】
以下の特徴Ｄ群は、「遊技盤の前面に遊技球が流下可能な遊技領域が形成された」遊技機に関するものであり、「特許文献１の遊技機では、発射装置から発射された遊技球を遊技領域に案内する案内路への遊技球の逆戻りが球戻り規制部材によって規制される。」という背景技術について、「特許文献１の遊技機では、球戻り規制部材が損傷し易いという問題があった。」という課題をもってなされたものである。
【０１６４】
＜特徴Ｄ群＞
特徴Ｄ１：遊技球が流下可能な遊技領域（遊技領域ＹＲ１）を前面に有する遊技盤（遊技盤１１）と、発射装置（発射装置６１）から発射された遊技球を前記遊技領域へと案内する案内路（案内路１３）と、前記案内路への遊技球の逆流を規制する球戻り規制部材（球戻り規制部材５０）と、を備えた遊技機において、前記遊技領域を包囲する外レール部（第２レール１２Ｂ）及び内レール部（第１レール１２Ａ）を備えて、それら外レール部と内レール部との間に前記案内路を形成し、前記球戻り規制部材は、前記内レール部に支持され、前記案内路を閉じる閉状態から前記外レール部との間隔を広げるように変化して、前記案内路を開く開状態となり、前記遊技領域には、前記球戻り規制部材に対向配置される対向樹脂突部（第３樹脂突部４３）が設けられ、前記開状態の前記球戻り規制部材と前記対向樹脂突部との間隔が、遊技球１個分より大きいことを特徴とする遊技機。
【０１６５】
本特徴に示す構成では、球戻り規制部材に対向配置される対向樹脂突部が設けられているので、球戻り規制部材に遊技球が衝突しにくくなり、球戻り規制部材の損傷が抑えられる。また、開状態の球戻り規制部材と対向樹脂突部との間隔は遊技球１個分より大きいので、遊技球が球戻り規制部材に衝突した場合に、その遊技球を球戻り規制部材と対向樹脂突部との間に流下させることが可能となる。
【０１６６】
特徴Ｄ２：前記球戻り規制部材は、前記遊技盤の前面に沿って移動して前記案内路を開閉する開閉部材（開閉部材５３）を有し、前記対向樹脂突部は、前記開状態における前記開閉部材と略平行な対向面（上側左向き流路形成面４３ＬＡ）を有していることを特徴とする特徴Ｄ１に記載の遊技機。
【０１６７】
本特徴に示す構成によれば、開状態における開閉部材と対向樹脂突部との間を通過する遊技球をスムーズに流下させ易くなる。
【０１６８】
特徴Ｄ３：前記開状態における前記開閉部材と前記対向面との間隔が遊技球１個分より大きく１．５個分以下であることを特徴とする特徴Ｄ２に記載の遊技機。
【０１６９】
本特徴に示す構成によれば、開状態における開閉部材と対向樹脂突部との間を通過する遊技球のバタつきを抑えることが可能となる
【０１７０】
特徴Ｄ４：前記球戻り規制部材は、前記遊技盤の前面に沿って移動して前記案内路を開閉する開閉部材（開閉部材５３）を有し、前記対向樹脂突部は、前記閉状態における前記開閉部材との間に遊技球が通過可能な隙間を有する対向面（上側左向き流路形成面４３ＬＡ）を有し、前記閉状態における前記開閉部材と前記対向面との間隔が、下方へ向かうに従って狭くなることを特徴とする特徴Ｄ１に記載の遊技機。
【０１７１】
本特徴に示す構成によれば、閉状態で開閉部材と対向樹脂突部との間を流下する遊技球の勢いを低減して、その遊技球をスムーズに流下させることが可能となる。
【０１７２】
特徴Ｄ５：前記球戻り規制部材は、支持ベース（支持ベース５１）と、前記支持ベースに回動可能に支持され、前記遊技盤の前面に沿って移動して前記案内路を開閉する開閉部材（開閉部材５３）と、を有し、前記開閉部材は、通常は、前記案内路を閉じる閉位置に付勢されることを特徴とする特徴Ｄ１乃至Ｄ４の何れか１つに記載の遊技機。
【０１７３】
本特徴に示す構成では、球戻り規制部材が、支持ベースに回動可能に支持されて案内路を開閉する開閉部材を有するので、球戻り規制部材が弾性変形によって案内路を開閉する構成と比較して、球戻り規制部材の耐久性の向上が図られる。なお、開閉部材の閉位置への付勢は、開閉部材において回動軸から偏心した位置に錘を備えることで実現されてもよいし、開閉部材の回動軸の回りにトーションばねを装着することで実現されてもよい。
【０１７４】
特徴Ｄ６：前記対向樹脂突部には、前記支持ベースを外側から囲むように配される対向円弧面（下側左向き流路形成面４３ＬＢ）が設けられ、前記対向円弧面と前記支持ベースとの間隔が遊技球１個分より大きく１．５個分以下であることを特徴とする特徴Ｄ５に記載の遊技機。
【０１７５】
本特徴に示す構成によれば、対向樹脂突部の対向円弧面によって開閉部材を回動可能に支持する支持ベースに遊技球が衝突することが抑えられ、開閉部材のスムーズな回動が図られる。また、対向円弧面と支持ベースとの間隔が遊技球１個分より大きく１．５個分以下となっているので、支持ベースと対向樹脂突部との間を通過する遊技球をスムーズに流下させることが可能となる。
【０１７６】
特徴Ｄ７：遊技球が流下可能な遊技領域（遊技領域ＹＲ１）を前面に有する遊技盤（遊技盤１１）と、発射装置（発射装置６１）から発射された遊技球を前記遊技領域へと案内する案内路（案内路１３）と、前記案内路への遊技球の逆流を規制する球戻り規制部材（球戻り規制部材５０）と、前記遊技盤の前面に敷設された樹脂製のベース板（ベース板４０Ａ）と、前記ベース板から突出し、遊技球が衝突することでその遊技球の流下方向を変更可能な樹脂突部（樹脂突部４０Ｔ）と、を備えた遊技機において、前記遊技領域を包囲する外レール部（第２レール１２Ｂ）及び内レール部（第１レール１２Ａ）を備えて、それら外レール部と内レール部との間に前記案内路を形成し、前記球戻り規制部材は、前記内レール部に支持され、前記案内路を閉じる閉状態から前記外レール部との間隔を広げるように変化して、前記案内路を開く開状態となり、前記樹脂突部には、前記球戻り規制部材に対向配置される対向樹脂突部（第３樹脂突部４３）が含まれ、前記開状態の前記球戻り規制部材と前記対向樹脂突部との間隔が、遊技球１個分より大きいことを特徴とする遊技機。
【０１７７】
本特徴に示す構成では、球戻り規制部材に対向配置される対向樹脂突部が設けられているので、球戻り規制部材に遊技球が衝突しにくくなり、球戻り規制部材の損傷が抑えられる。また、開状態の球戻り規制部材と対向樹脂突部との間隔は遊技球１個分より大きいので、遊技球が球戻り規制部材に衝突した場合に、その遊技球を球戻り規制部材と対向樹脂突部との間に流下させることが可能となる。
【０１７８】
なお、特徴Ｄ７に示す構成に、特徴Ｄ２〜Ｄ６に示す構成が組み合わされてもよい。
【０１７９】
特徴Ｄ８：遊技球が流下可能な遊技領域（遊技領域ＹＲ１）を前面に有する遊技盤（遊技盤１１）と、発射装置（発射装置６１）から発射された遊技球を前記遊技領域へと案内する案内路（案内路１３）と、前記遊技領域と前記案内路との連絡部（進入口１２Ｋ）を開閉して、前記案内路への遊技球の逆流を規制する球戻り規制部材（球戻り規制部材５０）と、を備えた遊技機において、前記遊技領域には、前記球戻り規制部材に対向配置される対向樹脂突部（第３樹脂突部４３）が設けられ、前記球戻り規制部材と前記対向樹脂突部との間隔が、遊技球１個分より大きいことを特徴とする遊技機。
【０１８０】
本特徴に示す構成では、球戻り規制部材に対向配置される対向樹脂突部が設けられているので、球戻り規制部材に遊技球が衝突しにくくなり、球戻り規制部材の損傷が抑えられる。
【０１８１】
なお、特徴Ａ群〜Ｄ群に示した特徴が組み合わされてもよく、例えば、特徴Ａ１，Ｂ１，Ｃ１，Ｄ１が組み合わされてもよい。
【符号の説明】
【０１８２】
１０    遊技機
１１    遊技盤
１２Ａ    第１レール
１２Ｂ    第２レール
１３    案内路
１７    障害釘
２３    表示装飾枠
３４    横壁
３５    誘導傾斜壁
３６    張出片
４０    樹脂体
４０Ａ    ベース板
４１    第１樹脂突部
４２    第２樹脂突部
４３    第３樹脂突部
４５    球戻り抑制部
５０    球戻り規制部材
６１    発射装置
ＹＲ１    遊技領域
【図１】
2018061885.tif 000003
【図２】
2018061885.tif 000004
【図３】
2018061885.tif 000005
【図４】
2018061885.tif 000006
【図５】
2018061885.tif 000007
【図６】
2018061885.tif 000008
【図７】
2018061885.tif 000009
【図８】
2018061885.tif 000010
【図９】
2018061885.tif 000011
【図１０】
2018061885.tif 000012
【図１１】
2018061885.tif 000013
【図１２】
2018061885.tif 000014
【図１３】
2018061885.tif 000015
【図１４】
2018061885.tif 000016
【図１５】
2018061885.tif 000017
【図１６】
2018061885.tif 000018
【図１７】
2018061885.tif 000019
【図１８】
2018061885.tif 000020
【図１９】
2018061885.tif 000021
【図２０】
2018061885.tif 000022